【事件の表示】
　商願２０１８−５０８３１拒絶査定不服審判事件について、次のとおり審決する。
【結　論】
　本件審判の請求は、成り立たない。
【理　由】
第１　本願商標
　本願商標は、「江戸辛味大根」の文字を標準文字で表してなり、第３１類に属する願書記載の商品を指定商品として、平成３０年４月１９日に登録出願されたものである。
　その後、本願の指定商品については、原審における平成３１年２月１５日受付の手続補正書で、第３１類「辛味大根，辛味大根の種子，辛味大根の苗，辛味大根の花，辛味大根の花を使ったドライフラワー，辛味大根の花の花輪，辛味大根を用いた飼料」と補正されたものである。
第２　原査定の拒絶の理由の要点
　原査定は、「本願商標は、『江戸辛味大根』の文字を標準文字で表してなるところ、その構成中、『江戸』の文字は、『東京の旧名。吉原・深川あたりで内神田・日本橋辺を指していった称。』を意味する語であり、『江戸時代』に生産されたものや、東京の旧名称として東京近郊を示すものとしても用いられている語である。また、本願商標の構成中の『辛味大根』の文字は、『辛みの強い大根』を意味する語である。そうすると、本願商標は、その構成全体から『江戸時代から江戸（東京）近郊で栽培されていた辛味大根』『東京近郊で栽培される辛味大根』ほどの意味合いを理解させるにとどまり、単に商品の品質を普通に用いられる方法で表示するにすぎず、自他商品の識別標識としての機能を果たし得ないものである。したがって、本願商標は、商標法第３条第１項第３号に該当する。」旨認定、判断し、本願を拒絶したものである。
第３　当審においてした審尋
　審判長は、請求人に対し、令和元年１２月２０日付けで、別掲１及び別掲２（１）ないし（５）を提示した上で、本願商標は、その構成全体から「江戸時代から江戸の土地で栽培されていた辛味大根」、「江戸時代から栽培されていた辛味大根」、「東京近郊で栽培される辛味大根」ほどの意味合いを認識、理解させるにとどまるものであるから、これをその指定商品に使用しても、商品の品質を普通に用いられる方法で表示する標章のみからなる商標といわざるを得ないものであり、商標法第３条第１項第３号に該当する旨の見解を示した審尋を発し、期間を指定して、これに対する回答を求めた。
第４　審尋に対する請求人の回答
　請求人は、前記第３の審尋に対し、令和２年１月１４日受付の回答書を提出し、要旨以下のように主張するとともに、その主張を裏付けるものとして、原審及び当審において提出した甲第１号証ないし甲第３８号証に加えて、甲第３９号証ないし甲第４１号証を提出した。
（１）本願商標は、一体に結合した全体で一つの造語であって「江戸辛味大根」との意味合いしかなく、また、請求人以外の者が本願商標と同一の文字を使用している例はない。
（２）審尋で示された「江戸」の文字と商品の普通名称等との組合せの使用例は、本願商標の指定商品と根本的に違うものである。また、本願商標は、現存しない名前であって、生産地でもない「江戸」の文字と野菜の名称との組合せであり、現存する生産地名と野菜又は野菜の名称との組合せと同列に論じることはできない。江戸時代における「江戸」は、「現在の東京の近郊」ではなく、「現在の東京のど真ん中」であって、米、野菜の生産地でなかったことは明白である。本願商標は、これを「東京近郊で栽培される辛味大根」、「江戸の土地で栽培されていた辛味大根」と錯誤する者はいないし、「時間の変遷」を直感させる語彙、雰囲気が皆無であるから、「江戸時代から栽培されていた辛味大根」とするのは失当である。
（３）「江戸○○」の標章が数多く登録されており、本願商標は登録されてしかるべきである。
第５　当審の判断
１　商標法第３条第１項第３号該当性について
（１）商標法第３条第１項第３号の趣旨について
　商標法第３条第１項第３号が「その商品の産地、販売地、品質、原材料を普通に用いられる方法で表示する標章のみからなる商標」は商標登録を受けることができない旨規定する趣旨は、このような商標は、商品の産地、販売地その他の特性を表示記述する標章であって、取引に際し必要適切な表示としてなんぴともその使用を欲するものであるから、特定人によるその独占使用を認めるのを公益上適当としないものであるとともに、一般的に使用される標章であって、多くの場合自他商品識別力を欠き、商標としての機能を果たし得ないものであることによると解され（最高裁昭和５３年（行ツ）第１２９号　昭和５４年４月１０日第三小法廷判決）、また、取引者、需要者に指定商品の品質等を示すものとして認識され得る表示態様の商標につき、それ故に登録を受けることができないとしたものであって、該表示態様が、商品の品質を表すものとして必ず使用されるものであるとか、現実に使用されている等の事実は、同号の適用において必ずしも要求されないものと解すべきである（東京高裁平成１２年（行ケ）第７６号　平成１２年９月４日判決）。
（２）本願商標の商標法第３条第１項第３号該当性について
　本願商標は、前記第１のとおり、「江戸辛味大根」の文字を標準文字で表してなるところ、当該文字は、「江戸」の文字と「辛味大根」の文字とを組み合わせた構成からなるものと看取、把握されるものである。
　そして、本願商標の構成中、「江戸」の文字は、「東京の旧名」、「吉原・深川あたりで内神田・日本橋辺を指していった称。」（「広辞苑（第六版）」（株式会社岩波書店））を意味するものである。また、「江戸」を含む語を使用した例からすれば、「江戸」の語は、江戸時代から作られている商品、江戸の土地で作られた商品であることを表すために用いられており（別掲１）、「辛味大根」の文字は、本願の指定商品との関係において、商品の名称又は商品の原料を表すものである。
　ところで、「辛味大根」は、野菜の一種であるところ、野菜を取り扱う業界において、「江戸」の文字を含む旧都市名や地域名等は、「野菜」の文字やその普通名称と組み合わせて、伝統的な野菜や、当該地域を中心として生産された野菜を表すものとして、使用されている実情（別掲２）がある。
　そうすると、本願商標は、その構成全体から「江戸時代から江戸の土地で栽培されていた辛味大根」、「江戸時代から栽培されていた辛味大根」、「東京近郊で栽培される辛味大根」ほどの意味合いを認識、理解させるにとどまるものであるから、これをその指定商品に使用しても、商品の品質を普通に用いられる方法で表示する標章のみからなる商標といわざるを得ないものである。
　したがって、本願商標は、商標法第３条第１項第３号に該当する。
２　請求人の主張について
（１）請求人は、「江戸切子」「江戸指物」「江戸甘味噌」の例は、本願の指定商品「野菜」とは全く違った商品の例であるから、本願商標の拒絶の理由には適用できない旨主張する。
　しかしながら、審尋で示した上記使用例は、辞書に掲載されている意味に加え、「江戸」の文字が、広く商品名に冠されて使用されている実情があることを示したものである。
　そして、本願の指定商品を包含する野菜についても、旧都市名等が野菜の名称等に冠されて使用されている実情があることは、別掲２に示すとおりであり、旧都市名等の一である「江戸」の文字についても、「江戸時代」に起源を有し、あるいは、「江戸時代」に生産されたものや、東京の旧名として東京近郊を示すものとして用いられているものであるといえることは、別掲２（８）ないし（９）に示すとおりである。
　よって、請求人の上記主張は、これを採用することができない。
（２）請求人は、本願商標の構成中の「江戸」の文字について、現存しない名前であって、野菜の生産地でないことから、他の使用例と同列に論じることはできない旨主張し、また、江戸時代における「江戸」は、「現在の東京の近郊」ではなく「現在の東京のど真ん中」である旨主張する。
　しかしながら、「江戸」の文字が広く商品名に冠して使用されている実情及び該文字を含む旧都市名や地域名等と「野菜」の文字やその普通名称との組合せの使用例を鑑みると、本願の指定商品の取引者、需要者である一般の消費者は、本願商標の構成中の「江戸」の文字を、詳細に理解し、かつ、江戸は野菜の生産地ではないと認識するというよりは、むしろ、「江戸」の文字を、東京近郊などの意味合いで認識するというべきである、
　よって、請求人の上記主張は、これを採用することができない。
（３）請求人は、「江戸○○」の標章が数多く登録されており、本願商標は登録されてしかるべきである旨主張し、また、請求人以外の者が本願商標と同一の文字を使用している例はない旨主張する。
　しかしながら、登録出願に係る商標が商標法第３条第１項第３号に該当するものであるか否かの判断は、当該商標登録出願の査定時又は審決時において、当該商標の構成態様と指定商品の取引の実情等に基づいて、個別具体的に判断されるものであって、他の登録例の存在によって、判断が左右されるものではないし、同号は上記１（１）のとおりの趣旨であって、商品の品質等を表すものとして現実に使用されていることは必ずしも必要でないものと解すべきであるから、仮に、「江戸辛味大根」の文字が、商品の品質等を表すものとして実際に使用されていないとしても、本願商標は、上記１（２）のとおり、本願の指定商品の取引の実情等を考慮すると、商品の品質を普通に用いられる方法で表示する標章のみからなる商標というべきである。
　よって、請求人の上記主張は、これを採用することができない。
３　まとめ
　以上のとおり、本願商標は、商標法第３条第１項第３号に該当し、登録することができない。
　よって、結論のとおり審決する。